(57)【要約】【課題】料理を切ったりソースを吸ったりケーキ類を切り易くするために面取り部を側縁に設けたスプーン及びフォークを提供する。【解決手段】長手のフィッシュ用ソーススプーン７の皿２の両側縁には傾斜面状の面取り部４，４が設けられると共に皿２の両側縁には面取り部４，４があることを表示するための凹部６，６が形成される。両側縁は面取り部４，４を設けることにより使用者の利き手に関係なく、料理やケーキ等を容易に切ることができ、ソースのすくい等が容易にできる。【選択図】図１
0003109850.tif 000002
【実用新案登録請求の範囲】
【請求項１】
スプーンやフォークの皿や歯の両側縁に面取り部を設けると共に、前記面取り部があることを表示する表示部を前記面取り部に関連する位置に設けることを特徴とする両面取りスプーン及びフォーク。
【請求項２】
前記面取り部が前記皿や歯の表面側から裏面側に向かって傾斜する傾斜面であることを特徴とする請求項１に記載の両面取りスプーン及びフォーク。
【請求項３】
前記表示部が、凹部であることを特徴とする請求項１又は２に記載の両面取りスプーン及びフォーク。
【請求項４】
前記スプーンが、フィッシュ用ソーススプーン又はデザート用ソーススプーンであり、前記フォークがケーキフォークであることを特徴とする請求項１乃至３のいずれかに記載の両面取りスプーン及びフォーク。
【請求項５】
前記デザート用ソーススプーンは、その全長が前記フィッシュ用ソーススプーンに較べて短長であることを特徴とする請求項４に記載の両面取りスプーン及びフォーク。
【考案の詳細な説明】
【技術分野】
【０００１】
本考案は、例えば、フィッシュ用やデザート用のソーススプーンのようなスプーンやケーキフォークのようなフォークに係り、特に料理やケーキやフルーツ等を切り易くするためにその皿や歯の部分の両側縁に面取り部を設けてなる両面取りスプーン及びフォークに関する。
【背景技術】
【０００２】
スプーンやフォークとしては各種形状のものが従来より使用されているが、その代表的なものとして図６に示すフィッシュ用ソーススプーン１Ｂや図７に示すケーキフォーク９Ｂがある。フィッシュ用ソーススプーン１Ｂは図６（ａ）に示すように皿２Ｂとこれに連設する細長の把持部３Ｂ等とからなり、ケーキフォーク９Ｂとしては図７（ａ）に示すように歯１０Ｂとこれに連設する把持部１１Ｂ等とからなる。なお、皿２Ｂは表面部７Ｂが略弧状に形成され裏面部８Ｂも表面部７Ｂに対応して略弧状に形成される。また、ケーキフォーク９Ｂの歯１０Ｂは図示のように３本の歯部からなり、両側の歯部は中央の歯部の両側に間隙を介して対象形に設けられるものからなる。以上の形状に近似するスプーンやフォークとしては例えば「特許文献１」に示されている。
【特許文献１】実開平５−１１８７５
【考案の開示】
【考案が解決しようとする課題】
【０００３】
フィッシュ用ソーススプーンやケーキフォークとしては前記の図６や図７に示した形状のものが通常使用されているが、料理を切り分けたりソースをすくい易くするため等やケーキやフルーツ等を切り易くするために図４や図５に示すようなフィッシュ用ソーススプーン１Ａやケーキフォーク９Ａがあり、面取り部４Ａ，１３Ａを設けるものがあるが、その面取り部４Ａはスプーンの皿７Ａやフォークの歯１０Ａの片側縁にのみ設けられ、これ等は左側縁に形成されていた。
【０００４】
前記の面取り部４Ａ，１３Ａが片側縁にのみ設けられている場合には、あくまでも右利きの人に対しても便利であるが、左利きの人に対しては効果がなく、不便であった。なお、当然ながら図４及び図５に示すように、面取り部４Ａ，１３Ａがあることを表示するための表示部６Ａ，１７Ａも面取り部４Ａ，１３Ａのある方にのみ設けられていた。
【０００５】
本考案は、以上の事情に鑑みて考案されたものであり、スプーンやフォークの使用者の利き手に拘らず、料理の切り分けやソースのすくいやケーキやフルーツの切れ易さを確保するためにスプーンやフォークの皿や歯の両側縁に面取り部を設けると共にこれを表示する表示部を面取り部に関連して夫々設けた両面取りスプーン及びフォークを提供することを目的とする。
【課題を解決するための手段】
【０００６】
本考案は、以上の目的を達成するために、請求項１の考案は、スプーンやフォークの皿や歯の両側縁に面取り部を設けると共に、前記面取り部があることを表示する表示部を前記面取り部に関連する位置に設けることを特徴とする。
【０００７】
また、請求項２の考案は、前記面取り部が前記皿や歯の表面側から裏面側に向かって傾斜する傾斜面であることを特徴とする。
【０００８】
また、請求項３の考案は、前記表示部が、凹部であることを特徴とする。
【０００９】
また、請求項４の考案は、前記スプーンが、フィッシュ用ソーススプーン又はデザート用ソーススプーンであり、前記フォークがケーキフォークであることを特徴とする。
【００１０】
また、請求項５の考案は、前記デザート用ソーススプーンは、その全長が前記フィッシュ用ソーススプーンに較べて短長であることを特徴とする。
【考案の効果】
【００１１】
本考案の請求項１の両面取りスプーン及びフォークによれば、スプーンやフォークの両側縁に面取り部があるため右利きや左利き等の利き手に関係なく、料理の切り分け，ソースのすくいやケーキ，フルーツ等の切り分けを容易に行うことができて極めて便利である。また、両側縁に面取り部があることを表示部を双方に設けることにより明示されるため従来品との区別が容易にできる。
【００１２】
また、本考案の請求項２の両面取りスプーン及びフォークによれば、面取り部の形状としては表面側から裏面側に向かって傾斜する傾斜面からなり、これにより前記した効果を発揮することができ、また、製作し易い効果を有する。
【００１３】
また、本考案の請求項３の両面取りスプーン及びフォークによれば、表示部として凹部を採用することにより表示が明瞭となり、かつ作成し易く、美観を損なわない効果を有する。
【００１４】
また、本考案の請求項４の両面取りスプーン及びフォークによれば、各種のスプーンやフォークがあるが、最も使用頻度の高いフィッシュ用ソーススプーンやケーキフォークに本考案は適用されスプーンやフォークの全体としての製作費のアップを制限するようにしている。
【００１５】
また、本考案の請求項５の両面取りスプーン及びフォークによれば、デザート用ソーススプーンとフィッシュ用ソーススプーンとを区別するためその全長に差をつけて夫々使い易くしている。
【考案を実施するための最良の形態】
【００１６】
以下、本考案の両面取りスプーン及びフォークの実施の形態を図面を参照して詳述する。
【実施例１】
【００１７】
図１は本考案が適用されるフィッシュ用ソーススプーン１を示す。フィッシュ用ソーススプーン１は図１（ａ）に示すように略楕円状の皿２とこれに連設される把持部３とからなり、皿２は図１（ｂ）に示すように略弧状の表面部７とこれと対応して略弧状に形成される裏面部８とからなる。なお、このフィッシュ用ソーススプーン１の全長Ｌは長寸のものからなり、一例として１８０ｍｍ乃至２００ｍｍのサイズのものからなる。
【００１８】
皿２の両側縁には図１（ｂ）に示すように面取り部４が形成される。この面取り部４は皿２の表面部７からラウンド５を残した状態で裏面部８側に向かって下り傾斜する傾斜面からなる。なお、ラウンド５はゼロであってもよいが両側縁の強度保持と安全性確保の点から適宜の小寸法だけ残したものが好ましい。
【００１９】
皿２の両側縁には図１（ａ）に示すように凹部６が形成される。この凹部６は皿の両側縁に面取り部４が形成されていることを表示するためのものであり、図示のように両側縁の下方側に面取り部４，４に対応して２個所設けている。面取り部４が形成されていることを表示する表示形態としては抹消が難しく、かつ表示機能を有する形式のものであればよいが、本例では図１（ａ）に示すような形状の凹部６が挙げられる。この凹部６を設けることにより、このフィッシュ用ソーススプーン１は両側縁に面取り部４を有するものであることが解り、他のものと明確に区別することができる。
【００２０】
フィッシュ用ソーススプーン１に前記のような面取り部４，４を皿２の左右に夫々設けることにより、右利きの人も左利きの人も同様に面取り部４の機能を利用することができる。即ち、料理の切り分け、ソースのすくい等がその人の利き手がどちらであっても容易にできる効果を上げることができる。
【実施例２】
【００２１】
図２（ａ），（ｂ）はデザート用ソーススプーン１ａを示す。このものにも図示のように皿２ａの両側縁に面取り部４ａが形成されると共に表示部としての凹部６ａが設けられている。即ち、デザート用ソーススプーン１ａは実施例１のフィッシュ用ソーススプーン１と全体として同一構造からなるが、大体としてはフィッシュ用ソーススプーン１より短寸のものからなりＬ1は一例として１２０ｍｍ〜１６０ｍｍのものからなる。これはデザート用ソーススプーン１ａはその全長Ｌ1が実施例１の場合のように長寸の場合はフィッシュの場合はよいが、デザートを食べるには長すぎ取り扱いが悪くなるためである。
【実施例３】
【００２２】
図３は、本考案が適用されるケーキフォーク９を示す。ケーキフォーク９は図３（ａ）に示すように図示のように歯１０とこれに連設する細長の把持部１１等からなり、歯１０は３本の歯部１０ａ，１０ｂ，１０ｃからなる。歯部１０ａ，１０ｃは歯部１０ｂを中心に挟み適宜の間隙１２を介して対象位置に配置される。なお、歯部１０ａ，１０ｂ，１０ｃは共に先端に向かって尖鋭する形状のものからなる。
【００２３】
歯部１０ａ，１０ｂ，１０ｃの側縁には図３（ｂ）に示すように面取り部１３，１３が形成される。この面取り部１３，１３は歯部１０ａ，１０ｂの表面部１４からラウンド１５を残した状態で裏面部１６側に向かって下り傾斜する傾斜面からなる。なお、ラウンド１５はゼロでもよいが、歯部１０ａ，１０ｃの強度保持と安全性確保のため適宜の小寸法だけ残したものが好ましい。
【００２４】
歯部１０ａ，１０ｃの歯部１０ｂ側の端縁には凹部１７，１７が形成される。この凹部１７は歯部１０ａ，１０ｃの側縁に面取り部１３，１３が形成されていることを表示するものである。この凹部１７，１７の形状は任意の形状でよいが、抹消できず表示機能を有するものであればよい。
【００２５】
以上のように、ケーキフォーク９に前記のような面取り部１３，１３を設けることにより右利きの人も左利きの人も同様に面取り部の機能を利用することができる。即ち、利き手に関係なく、ケーキやフルーツを容易に切ることができる。
【産業上の利用可能性】
【００２６】
本考案は、前記のようにフィッシュ用ソーススプーンやデザート用ソーススプーン及びケーキフォークについて述べたが、スプーンやフォークはこれ等のものに限らず、従来より使用されているスプーンやフォークに対しても適用され、その利用範囲は広い。
【図面の簡単な説明】
【００２７】
【図１】本考案の適用されるフィッシュ用ソーススプーンの全体形状を示す平面図（ａ）及びそのＡ−Ａ線断面図（ｂ）。
【図２】本考案の適用されるデザートはソーススプーンの全体構造を示す平面図（ａ）及びそのＢ−Ｂ線断面図（ｂ）。
【図３】本考案の適用されるケースフォークの全体構造を示す平面図（ａ）及びそのＣ−Ｃ線断面図（ｂ）。
【図４】従来のフィッシュ用ソーススプーンの全体構造を示す平面図（ａ）及びそのＤ−Ｄ線断面図（ｂ）。
【図５】従来のケーキフォークの全体構造を示す平面図（ａ）及びそのＥ−Ｅ線断面図（ｂ）。
【図６】従来のフィッシュ用ソーススプーンの全体構造を示す平面図（ａ）及びそのＦ−Ｆ線断面図（ｂ）。
【図７】従来のケーキフォークの全体構造を示す平面図（ａ）及びそのＧ−Ｇ線断面図（ｂ）。
【符号の説明】
【００２８】
１      フィッシュ用ソーススプーン
１ａ    フィッシュ用ソーススプーン
２      皿
２ａ    皿
３      把持部
３ａ    把持部
４      面取り部
４ａ    面取り部
５      ラウンド
５ａ    ラウンド
６      凹部
６ａ    凹部
７      表面部
７ａ    表面部
８      裏面部
８ａ    裏面部
９      ケーキフォーク
１０    歯
１０ａ  歯部
１０ｂ  歯部
１０ｃ  歯部
１１    把持部
１２    間隙
１３    面取り部
１４    表面部
１５    ラウンド
１６    裏面部
１７    凹部
【図１】
0003109850.tif 000003
【図２】
0003109850.tif 000004
【図３】
0003109850.tif 000005
【図４】
0003109850.tif 000006
【図５】
0003109850.tif 000007
【図６】
0003109850.tif 000008
【図７】
0003109850.tif 000009